(57)【要約】【課題】様々な様式の成人用便器にフィットするように載置させることができ、幼児が安全に使用することができる幼児用補助便座構造を提供する。【解決手段】幼児用補助便座構造は、便座本体１を備える。便座本体１には、前段部１１及び後段部１２が設けられる。前段部１１と後段部１２との間には、中段部１３が設けられる。中段部１３の底縁には、円弧凹状の折り曲げ領域１３１が形成される。折り曲げ領域１３１の前後両側には、連結部がそれぞれ接続される。２つの連結部には、前段部１１及び後段部１２がそれぞれ接続される。２つの連結部の厚さが折り曲げ領域１３１から便座本体１の前段部１１及び後段部１２に向けて徐々に厚くなっており、便座本体１の中央部には、開口部１４が形成されている。【選択図】図１
0003219386.tif 000002
【実用新案登録請求の範囲】
【請求項１】
便座本体を備えた幼児用補助便座構造であって、
前記便座本体には、前段部及び後段部が設けられ、
前記前段部と前記後段部との間には、中段部が設けられ、
前記中段部の底縁には、円弧凹状の折り曲げ領域が形成され、
前記折り曲げ領域の前後両側には、連結部がそれぞれ接続され、
２つの前記連結部には、前記前段部及び前記後段部がそれぞれ接続され、
２つの前記連結部の厚さが前記折り曲げ領域から前記便座本体の前記前段部及び前記後段部に向けて徐々に厚くなっており、
前記便座本体の中央部には、開口部が形成されていることを特徴とする、
幼児用補助便座構造。
【請求項２】
前記便座本体の前記中段部の平均厚さは、前記前段部及び前記後段部の平均厚さの０．５〜０．８倍であることを特徴とする請求項１に記載の幼児用補助便座構造。
【請求項３】
前記折り曲げ領域の長さは４０〜５０ｍｍであり、前記連結部の長さは２５〜３５ｍｍであることを特徴とする請求項１に記載の幼児用補助便座構造。
【考案の詳細な説明】
【技術分野】
【０００１】
本考案は、幼児用補助便座構造に関し、特に、様々な様式の成人用便器にフィットするように載置し、幼児が安全に使用することができる幼児用補助便座構造に関する。
【背景技術】
【０００２】
幼児が生活習慣を身につけるには小さいときから訓練する必要がある。例えば、トイレトレーニングは幼児全てが学ばなければならないことであり、トイレトレーニングでは、最初に桶状の幼児補助便器で訓練し、幼児補助便器の使用に幼児が慣れた後に、成人用の便器を使用することが一般的である。
しかし、家庭用便器の成人用便座の開口が大きすぎる場合、幼児が成人用便座に直接座ると、便器内に落ちてしまうことがあった。そのため幼児が便器内に落ちることを防ぐために、従来技術では成人用便座上に幼児用補助便座を載置することが一般的であった。この幼児用補助便座は環状体を呈し、幼児用補助便座の開口が成人用便座の開口より小さいため、幼児が便座に座る際、便器内に落ちることを防ぐことができる。
【０００３】
しかし、従来の成人用便座は各メーカの形状、曲げ角度が同じように設計され、従来の幼児用補助便座が硬質プラスチックにより同じ厚さに射出成形されていたため、弾性が欠如していた。そのため、従来の幼児用補助便座を成人用便座に載置したときに、成人用便座の形状及び曲げ角度などが合致せず、幼児用補助便座と成人用便座との間に間隙が生じ、成人用便座にフィットさせることができなかった。このため、幼児が幼児用補助便座に座って使用する際、幼児用補助便座が揺れて不安定となることがあり、幼児は不安に感じて家庭用便器を使用する意欲が低下することがあった。また、従来の幼児用補助便座の底部には、滑り止めが設けられておらず、幼児用補助便座を成人用便座に載置して使用する際、幼児用補助便座が成人用便座上で摺動してしまい、使用する幼児に危険が生じることがあった。
【０００４】
こうした現状に鑑み、本考案者は鋭意研究を重ねた結果、本考案の幼児用補助便座構造を完成したものである。
【考案の概要】
【考案が解決しようとする課題】
【０００５】
本考案の主な目的は、様々な様式の成人用便器にフィットするように載置させることができ、幼児が安全に使用することができる幼児用補助便座構造を提供することにある。
【課題を解決するための手段】
【０００６】
上記課題を解決するために、本考案の第１の形態によれば、便座本体を備えた幼児用補助便座構造であって、前記便座本体には、前段部及び後段部が設けられ、前記前段部と前記後段部との間には、中段部が設けられ、前記中段部の底縁には、円弧凹状の折り曲げ領域が形成され、前記折り曲げ領域の前後両側には、連結部がそれぞれ接続され、２つの前記連結部には、前記前段部及び前記後段部がそれぞれ接続され、２つの前記連結部の厚さが前記折り曲げ領域から前記便座本体の前記前段部及び前記後段部に向けて徐々に厚くなっており、前記便座本体の中央部には、開口部が形成されていることを特徴とする、幼児用補助便座構造を提供する。
【０００７】
前記便座本体の前記中段部の平均厚さは、前記前段部及び前記後段部の平均厚さの０．５〜０．８倍であることが好ましい。
【０００８】
前記折り曲げ領域の長さは４０〜５０ｍｍであり、前記連結部の長さは２５〜３５ｍｍであることが好ましい。
【考案の効果】
【０００９】
本考案の幼児用補助便座構造は、便座本体の中段部が前段部及び後段部より薄く、中段部が弾性を有し、本考案の幼児用補助便座の形状及び曲げ角度が成人用便座に合致するように対応した湾曲円弧度に形成され、幼児用補助便座を様々な様式の成人用便座にフィットするように載置することができるため、幼児が本考案の便座に座る際、便器を使用するときに揺れて不安定となることを防ぎ、幼児が安全に便器を使用できるようにし、便座本体の底周辺に設けた帯状滑り止めを成人用便座と当接させて高い摩擦力が得られる。
そのため、本考案の幼児用補助便座が成人用便座上で摺動せず、便座本体の前段部にハンドルが取り付けられ、幼児が便器を使用するときに容易に把持して便器を安全に使用できるため、幼児は家庭用便器の使用習慣を容易に身につけることができる。
【図面の簡単な説明】
【００１０】
【図１】本考案の一実施形態に係る幼児用補助便座構造を示す分解斜視図である。
【図２】本考案の一実施形態に係る幼児用補助便座構造を示す斜視図である。
【図３】本考案の一実施形態に係る幼児用補助便座構造の便座本体を示す正面図である。
【図４】本考案の一実施形態に係る幼児用補助便座構造の便座本体を示す部分拡大図である。
【図５】本考案の一実施形態に係る幼児用補助便座構造の使用状態の説明図である。
【図６】本考案の一実施形態に係る幼児用補助便座構造の使用状態の部分拡大図である。
【考案を実施するための形態】
【００１１】
以下、本考案の実施形態について図に基づいて説明する。なお、これによって本考案が限定されるものではない。
【００１２】
まず、図１及び図２を参照する。図１及び図２に示すように、本考案の一実施形態に係る幼児用補助便座構造は、薄型筐体状の便座本体１を含む。便座本体１は、熱可塑性エラストマー（ＴＰＥ）とポリプロピレン（ＰＰ）とを混合した複合材料により一体射出成形され、便座本体１に前段部１１及び後段部１２が設けられ、前段部１１と後段部１２との間には、中段部１３が設けられる。
図３及び図４を併せて参照する。図３及び図４に示すように、便座本体１の中段部１３の底縁には、円弧凹状の折り曲げ領域１３１が形成される。この折り曲げ領域１３１は、長さ約４０〜５０ｍｍ、厚さ約１ｍｍである上、中段部１３の連結部１３２が折り曲げ領域１３１の前後両側にそれぞれ接続され、２つの連結部１３２が便座本体１の前段部１１及び後段部１２とそれぞれ接続する。２つの連結部１３２の長さは約２５〜３５ｍｍであり、２つの連結部１３２の厚さが折り曲げ領域１３１から前段部１１及び後段部１２に向けて、例えば１．１ｍｍ、１．２ｍｍ、…、１．９ｍｍ、２．０ｍｍなど徐々に厚くなっており、平均厚さが約２ｍｍの便座本体１の前段部１１及び後段部１２と滑らかに段差のない状態で接続されている。
便座本体１の中段部１３の平均厚さは、前段部１１及び後段部１２の平均厚さの約０．５〜０．８倍である。便座本体１の中央部には、開口部１４が形成される。開口部１４の形成範囲は、便座本体１の前段部１１、中段部１３及び後段部１２の領域をカバーし、便座本体１の前段部１１の頂面には、複数の挿入孔１５が形成される。本考案の一実施形態に係る幼児用補助便座構造は、ハンドル２をさらに備えてもよい。ハンドル２の底端には、複数の挿入杆２１が設けられ、ハンドル２の底端の複数の挿入杆２１と便座本体１の前段部１１の複数の挿入孔１５とが対応して挿設され、便座本体１の底周辺が帯状滑り止め３に対応結合される。帯状滑り止め３の材料は、シリコーン又はゴムでもよい。
【００１３】
実際に幼児が家庭にある成人用便器を使用するときは、図５及び図６に示すように、本実施形態の幼児用補助便座構造の幼児用便座を成人用便座４上に載置する。本実施形態の便座本体１の中段部１３の折り曲げ領域１３１及び連結部１３２の厚さが前段部１１及び後段部１２より薄く設計されているため、本実施形態の便座本体１の中段部１３が良好な弾性を有し、幼児が本実施形態の便座本体１に座ると、円弧凹状の折り曲げ領域１３１などが圧力を受けると伸びて湾曲する。このため、本実施形態の幼児用補助便座は、様々な形状及び折り曲げ角度の成人用便座４に対応した湾曲円弧度を有し、成人用便座４上にフィットするように載置させることができる。また、本実施形態の幼児用補助便座は、熱可塑性エラストマー（ＴＰＥ）とポリプロピレン（ＰＰ）とが混合された複合材料からなるため、好ましい弾性を備える。
【００１４】
そのため、本実施形態の幼児用補助便座に幼児が座って使用する際、揺れが不安定となることを防ぎ、幼児がトイレを安全に使用することができる。
本実施形態は、便座本体１の底周辺に設けた帯状滑り止め３を有するため、本実施形態の幼児用補助便座を成人用便座４に載置すると、帯状滑り止め３が成人用便座４に当接され、成人用便座４との間の摩擦力を高めて、幼児用補助便座が成人用便座４上で摺動することを防ぐとともに、幼児がトイレを使用する際、便座本体１の前段部１１に設けられたハンドル２を幼児が手で握ることができるため、幼児は安全に使用することができる。このように、本考案の幼児用補助便座は、安全構造が多数ある上、幼児の家庭用便器を使用する意欲を高め、幼児は家庭用便器の使用習慣を容易に身につけることができる。
【００１５】
本考案の幼児用補助便座構造は、以下（１）〜（３）の長所を有する。
（１）便座本体の中段部には、前段部及び後段部より厚さが薄い折り曲げ領域及び連結部が設けられ、便座本体の中段部の弾性を良好にし、特に、円弧凹状の折り曲げ領域が圧力を受けると伸びて湾曲するため、本考案の幼児用補助便座は、載置する成人用便座に対応した円弧状に湾曲し、成人用便座上にフィットするように載置することができるため、幼児が便器を安全に使用することができる。
（２）便座本体の底周辺に帯状滑り止めが設けられ、本考案の幼児用補助便座を成人用便座に載置すると、帯状滑り止めが成人用便座に接触されるため、成人用便座上で摺動することを防ぎ、幼児が便器を安全に使用することができる。
（３）便座本体の前段部には、ハンドルが取り付けられ、幼児が便器を使用する際、便座本体の前段部のハンドルを手で握り、幼児が便器を安全に使用できるようにし、幼児が家庭用便器を使用する意欲を高め、幼児は家庭用便器の使用習慣を容易に身につけることができる。
【符号の説明】
【００１６】
１      便座本体
２      ハンドル
３      帯状滑り止め
４      成人用便座
１１    前段部
１２    後段部
１３    中段部
１４    開口部
１５    挿入孔
２１    挿入杆
１３１  折り曲げ領域
１３２  連結部
【図１】
0003219386.tif 000003
【図２】
0003219386.tif 000004
【図３】
0003219386.tif 000005
【図４】
0003219386.tif 000006
【図５】
0003219386.tif 000007
【図６】
0003219386.tif 000008